(57)【要約】【課題】アイロンの握り部下方を形成する把手上面の温度上昇を抑制し、使い勝手のよいアイロンを提供する。【解決手段】ヒータ２により加熱されるベース３と、前記ベース３に設けられたスチーム発生用の気化室１０と、前記ベース３の上方に配設され、上部に握り部５を形成した把手６と、前記ベース３の上方で把手６の前側へ着脱自在に配設され、前記気化室１０へ供給する水を貯える平面視略Ｕ字状の水タンク４を具備し、前記把手６の前記平面視略Ｕ字状の水タンク４に囲まれた前後方向長手部６ａに、前記把手６とは別部材の覆い部材１１を設けたものである。【選択図】　図２
2004073607.tif 000002
【特許請求の範囲】
【請求項１】
ヒータにより加熱されるベースと、前記ベースに設けられたスチーム発生用の気化室と、前記ベースの上方に配設され、上部に握り部を形成した把手と、前記ベースの上方で把手の前側へ着脱自在に配設され、前記気化室へ供給する水を貯える平面視略Ｕ字状の水タンクを具備し、前記把手の前記平面視略Ｕ字状の水タンクに囲まれた前後方向長手部に、前記把手とは別部材の覆い部材を設けたアイロン。
【請求項２】
覆い部材は、把手の平面視略Ｕ字状の水タンクに囲まれた前後方向長手部においては、その上方のみを覆う形状とするとともに、前記把手の前記前後方向長手部に設けた取着部に取り付けた請求項１記載のアイロン。
【請求項３】
覆い部材は、把手の前後方向長手部との間に断熱のための空気層を形成して前記把手に取り付けた請求項１または２記載のアイロン。
【請求項４】
覆い部材は、低熱伝導性材料により形成した請求項１〜３のいずれか１項記載のアイロン。
【請求項５】
覆い部材は、表面に多数の凸部もしくは溝を設けた請求項１〜４のいずれか１項記載のアイロン。
【発明の詳細な説明】
【０００１】
【発明の属する技術分野】
本発明は、衣類等のしわ伸ばしを行なうために使用されるアイロンに関するものである。
【０００２】
【従来の技術】
従来、この種のスチームアイロンは、図７および図８に示すような構成をしていた。以下、その構成について説明する。
【０００３】
図７および図８において、１はアイロン本体であり、下方には内部にヒータ２を配接したベース３を設け、かつ前記ベース３の上方には内部に水を貯えるための水タンク４と、握り部５が設けられている。また６は把手であり、前記ベース３の上方に設けられた断熱板７に固定されており、この把手６により、前記水タンク４は所定の位置に固定されている。
【０００４】
水タンク４は、上から見た場合、Ｕ字状の形状をしており、把手６に対し前側から着脱自在に取付けられている。そして、水タンク４は、取付けられた状態では、アイロン本体１の中央部で把手６を両側から囲む形となるとともに、水タンク４の上面と把手６の上面とは連続するようにして、アイロン本体１の外郭を見栄え良く形成している。また、８はアイロン本体１の温度制御を行う制御部であり、９は握り部５と把手６の上面により形成される利用者が手を挿入する為の開口部である。また、図８において、１０は水タンクから供給される水をスチームにする気化室である。
【０００５】
【発明が解決しようとする課題】
近年、アイロンは小型軽量化が普及しつつあるが、前記従来の構成では、水タンク４に入る水量を一定量確保しつつ小型化するために、全体の高さを低くしようとした場合、握り部５は握りやすさの観点、および内部に配置した制御部８のスペース確保という制約があるため、握り部５下方の開口部９の上下方向の長さを短くしなければ、水タンク４内の水量を確保しながら、全体の高さを低くすることができなかった。
【０００６】
しかしながら、前記開口部９の下方を形成する把手６は、前述のとおりベース３の上方を覆う断熱板７と接触しているため、アイロン使用中は温度が上昇しやすく、加えてこの開口部９は利用者がアイロン本体１を操作する際に手を入れる個所であるため、開口部９の下方を形成する把手６に利用者の手が接触しやすく、利用者にとって利用のし難いものとなっていた。
【０００７】
本発明は上記課題を解決するもので、利用者の操作方法に関わらず、所定の性能を安定して確保でき、かつ増量スチームが所定の時間継続して発生できる、操作性に優れたアイロンを提供することを目的とするものである。
【０００８】
【課題を解決するための手段】
上記目的を達成するために、本発明のアイロンは、ヒータにより加熱されるベースと、前記ベースに設けられたスチーム発生用の気化室と、前記ベースの上方に配設され、上部に握り部を形成した把手と、前記ベースの上方で把手の前側へ着脱自在に配設され、前記気化室へ供給する水を貯える平面視略Ｕ字状の水タンクを具備し、前記把手の前記平面視略Ｕ字状の水タンクに囲まれた前後方向長手部に、前記把手とは別部材の覆い部材を設けたものである。
【０００９】
この構成により、把手上面の温度上昇を抑制することが可能となり、アイロン本体を小型化し、握り部下方の開口部の高さが低くなって、利用者の手が把手の上面に触れやすくなった場合でも、利用しやすいアイロンを提供するものである。
【００１０】
【発明の実施の形態】
本発明の請求項１に記載の発明は、ヒータにより加熱されるベースと、前記ベースに設けられたスチーム発生用の気化室と、前記ベースの上方に配設され、上部に握り部を形成した把手と、前記ベースの上方で把手の前側へ着脱自在に配設され、前記気化室へ供給する水を貯える平面視略Ｕ字状の水タンクを具備し、前記把手の前記平面視略Ｕ字状の水タンクに囲まれた前後方向長手部に、前記把手とは別部材の覆い部材を設けたことにより、開口部の下方を形成する把手の温度が、断熱板からの伝熱により上昇した場合においても、覆い部材の温度は前記把手上面より低く抑えることができ、利用しやすいアイロンを提供することができる。
【００１１】
また、本発明の請求項２に記載の発明は、覆い部材は、把手の平面視略Ｕ字状の水タンクに囲まれた前後方向長手部においては、その上方のみを覆う形状とするとともに、前記把手の前記前後方向長手部に設けた取着部に取り付けたことにより、覆い部材を把手とは別部材で構成しても、把手および覆い部材の幅方向の寸法増加を最小限に押さえることができ、水タンクの水量等を有効に活用しつつ、アイロンを小型化することが可能となり、利用しやすいアイロンを提供することができる。
【００１２】
また、本発明請求項３に記載の発明は、覆い部材は、把手の前後方向長手部との間に断熱のための空気層を形成して前記把手に取り付けたことにより、把手上面と覆い部材間の断熱をより効率的に働かせることが可能となる。
【００１３】
また、本発明請求項４に記載の発明は、覆い部材は、低熱伝導性材料により形成したことにより、利用中に覆い部材に手が接触した場合においても、断熱効果によって熱くなく、感触的に優れたアイロンを提供できる。
【００１４】
また、本発明請求項５に記載の発明は、覆い部材は、表面に多数の凸部もしくは溝を設けたことにより、断熱効果に加えて覆い部材表面の面積を増加させることにより、表面からの放熱効果も得られる為に、手が接触した場合においても、より感触に優れたアイロンを提供することができる。
【００１５】
【実施例】
以下、本発明の実施例について、図面を参照しながら説明する。なお、従来例と同じ構成のものは同一番号を付与して説明を省略する。
【００１６】
（実施例１）
図１は本発明の第１の実施例におけるアイロンの斜視図、図２は同アイロンの断面図、図３は同アイロンの覆い部材の斜視図、図４は、図２に示したａ−ａ断面図である。
【００１７】
図１〜４において、６は把手であり、ベース３の上方に設けられた断熱板７に固定されており、この把手６により、水タンク４は所定の位置に固定されている。水タンク４は、上から見た場合、Ｕ字状の形状をしており、把手６に対し前側から着脱自在に取付けられている。そして、水タンク４は、取付けられた状態では、アイロン本体１の中央部で把手６を両側から囲む形となっている。
【００１８】
把手６の水タンク４によって左右から囲まれた部分の上面は、隣接する水タンク４の上面より一段低くして、前後方向長手部６ａを形成している。１１は把手６の上方に設けられた覆い部材であり、把手６の前後方向長手部のちょうど上方のみを覆うように設けられ、その上面は左右に隣接する水タンク４の上面とは連続するようにして、アイロン本体１の外郭を見栄え良く形成している。
【００１９】
覆い部材１１の把手６への取付けは、把手６の上部に複数設けられた凹部１２に覆い部材１１の側面から内側に突出させて設けた複数の爪部１３を係合させることによってなされている。また、握り部５は中空構造をなしており、その内部空間には、アイロン本体１の温度制御を行う制御部８が組み込まれている。
【００２０】
上記構成において、本発明の実施例１の動作を説明すると、アイロン本体１を利用するために、ヒータ２を通電状態にしてベース３を加熱した場合、その熱は一部断熱板７を介して把手６の上面に伝わる。一方、利用者は、アイロン本体１を使用する際には握り部５を握って使用するが、その際、手の一部は開口部９の内部に挿入することになる。
【００２１】
しかしながら、この際、把手６の上面には覆い部材１１が設けられている為、利用者は温度の上昇した把手６の上面に直接触れることはなく、覆い部材１１に触れる為、熱い個所に直接触れることなく利用することができる。
【００２２】
したがって、アイロン本体１の高さ方向を小型にしても、水タンク４の水量を確保しつつ、また制御部８のスペースを確保しながら、かつ握りやすい握り部５を提供でき、利用時に高温部に触れないアイロンを提供することが可能となる。
【００２３】
（実施例２）
本発明の第２の実施例を、同じく図１〜４を用いて説明する。なお従来例及び実施例１と同様の構成の部品については同一の番号を付与して説明を省略する。
【００２４】
覆い部材１１の左右の側面の内側に突出させて複数設けられた爪部１３は、図３に示すように、左右で長手方向に偏移ｂ、偏移ｃを有して、左右非対称の位置に設けられている。
【００２５】
上記構成において、覆い部材１１の把手６への固定は、覆い部材１１に設けられた内側に突出する複数個の爪部１３が、把手６の前後方向長手部６ａに設けられた凹部１２に係合することにより行われるが、本実施例では、覆い部材１１に設けた爪部１３は、前述のように、長手方向に偏移を設けて左右非対称の位置に配しているため、図４に示すように、爪部１３と嵌合する凹部１２は左右対象位置に設ける必要がなくなり、把手６の前後方向長手部６ａの幅すなわちアイロン本体１の中央部における把手６の幅は最小限の寸法とすることができる。
【００２６】
すなわち、覆い部材１１を最小限のスペースで固定可能な手段を提供することができる結果、把手６の左右に下方から膨出するごとく位置する水タンク４の水量を最大限に確保することができる。
【００２７】
（実施例３）
本発明の第３の実施例は、図１〜図４に示す覆い部材１１をゴム、エラストマー等の低熱伝導性材料で構成したものである。
【００２８】
上記構成において、利用者がアイロン使用中に握り部５を握りアイロン本体１を操作する際、開口部９に手を入れることになるが、不意に覆い部材１１に手が接触した場合においても、ベース３からの熱は把手６の上面から直接伝わることがなく、かつ、低熱伝導性材料で構成してあるため、覆い部材１１の上面は低い温度に保たれる。また、ゴム、エラストマー等の弾性をも有する材料で構成した場合は、その感触も柔らかくすることができる。
【００２９】
（実施例４）
図５、図６は本発明の第４の実施例を示す斜視図である。図５は覆い部材１１の上面に複数の凸部１４を設けたもの、図６は覆い部材１１の上面に複数の溝１５を設けたものである。
【００３０】
上記構成においては、覆い部材１１の上面の表面積が増加するため、放熱効果が増大し、覆い部材１１の上面の温度上昇を、より一層抑制することができる。
【００３１】
【発明の効果】
以上のように、請求項１に記載の発明によれば、把手の平面視略Ｕ字状の水タンクに囲まれた前後方向長手部に把手とは別部材の覆い部材を設けたので、アイロンを小型化して高さ方向も低くした場合においても、利用者が握り部の開口部下方に触れた場合でも熱くなく、所定の性能を安定して確保できるアイロンを提供することができる。
【００３２】
また、請求項２に記載の発明によれば、覆い部材は、把手の平面視略Ｕ字状の水タンクに囲まれた前後方向長手部においては、その上方のみを覆う形状とするとともに、前記把手の前記前後方向長手部に設けた取着部に取り付けるように構成したので、水タンクの大きさを小さくすることなく、覆い部材を配置することができ、利用者が握り部の開口部下方に触れた場合でも熱くなく、所定の性能を安定して確保できるとともに、長時間スチームを利用できるアイロンを提供することができる。
【００３３】
また、請求項３記載の発明によれば、覆い部材は、把手の前後方向長手部との間に断熱のための空気層を形成して前記把手に取り付けるように構成したので、断熱を効率的に働かせることができ、利用しやすいアイロンを提供できる。
【００３４】
また、請求項４記載の発明によれば、覆い部材は、低熱伝導性材料により形成したので、断熱を効率的に働かせることができ、利用者が握り部の開口部下方に触れた場合においても熱くなく、感触的にも優れたアイロンを提供することができる。
【００３５】
また、請求項５記載の発明によれば、覆い部材は、表面に多数の凸部もしくは溝を設けたので、覆い部材の放熱効果を向上させることができるため、利用者が握り部の開口部下方に触れた場合でもより熱くなく、所定の性能を安定して確保できるアイロンを提供することができる。
【図面の簡単な説明】
【図１】本発明の実施例１のアイロンの斜視図
【図２】同アイロンの断面図
【図３】本発明の実施例１の覆い部材を示す斜視図
【図４】本発明の実施例２の覆い部材の取り付けを示す要部断面図
【図５】本発明の実施例４の覆い部材を示す斜視図
【図６】同実施例４の覆い部材の他の例を示す斜視図
【図７】従来のアイロンの斜視図
【図８】同アイロンの断面図
【符号の説明】
２　ヒータ
３　ベース
４　水タンク
５　握り部
６　把手
６ａ　前後方向長手部
８　制御部
９　開口部
１０　気化室
１１　覆い部材
１２　凹部
１３　爪部
１４　凸部
１５　溝
【図１】
2004073607.tif 000003
【図２】
2004073607.tif 000004
【図３】
2004073607.tif 000005
【図４】
2004073607.tif 000006
【図５】
2004073607.tif 000007
【図６】
2004073607.tif 000008
【図７】
2004073607.tif 000009
【図８】
2004073607.tif 000010